(57)【特許請求の範囲】
【請求項１】
互いに直交する長手方向及び幅方向と、
着用者の股下に位置する股下域と、
前記股下域よりも後側に位置する後側域と、
前記股下域及び前記後側域に配置される吸収コアと、
前記吸収コアよりも肌対向面側に配置された肌面シートと、
前記吸収コア及び前記肌面シートに形成された中央圧搾溝と、を有する吸収性物品であって、
前記後側域の前記幅方向の中央には、前記長手方向に沿って前記中央圧搾溝が配置された複数の高剛性領域と、前記長手方向における前記高剛性領域間に配置され、かつ前記高剛性領域よりも剛性が低い低剛性領域と、が設けられており、
前記低剛性領域は、前記中央圧搾溝間の領域であり、
前記後側域の前記高剛性領域の両外側には、少なくとも前記吸収コアに形成され、かつ前記長手方向に延びる一対の長手圧搾溝と、少なくとも前記吸収コアに形成され、かつ前記幅方向に延びる幅圧搾溝と、が設けられており、
前記長手圧搾溝は、前記長手方向において間隔を空けて設けられており、
前記長手圧搾溝の間の領域は、前記幅圧搾溝の延長線上の領域であって、前記低剛性領域から幅方向の外側に延びる領域に配置されていることを特徴とする、吸収性物品。
【請求項２】
前記吸収性物品を下着に固定するための接合部を有しており、
前記低剛性領域は、前記接合部の後端縁よりも前側に配置されている、請求項１に記載の吸収性物品。
【請求項３】
前記吸収コアは、周囲の前記吸収コアよりも吸収材料の目付が低い低目付領域を有し、
前記低目付領域は、前記低剛性領域に配置され、かつ前記低剛性領域から前記幅方向の外側に延びる傾斜部を有し、
前記傾斜部の外側縁は、前記後側に向かうにつれて前記幅方向の外側から前記幅方向の内側に向かって延びる、請求項１又は請求項２に記載の吸収性物品。
【請求項４】
前記低目付領域の前記傾斜部には、少なくとも前記幅圧搾溝が設けられている、請求項３に記載の吸収性物品。
【請求項５】
前記幅圧搾溝は、前記後側に向かうにつれて前記幅方向の外側から前記幅方向の内側に延びる、請求項４に記載の吸収性物品。
【請求項６】
前記中央圧搾溝の剛性は、前記長手圧搾溝の剛性よりも低い、請求項１から請求項５のいずれか１項に記載の吸収性物品。
【請求項７】
前記低剛性領域は、第１低剛性領域と、前記第１低剛性領域よりも前記後側に位置する第２低剛性領域と、を有する、請求項１から請求項６のいずれかに記載の吸収性物品。
【請求項８】
着用者側に起立可能な一対の立体ギャザーを有し、
各立体ギャザーは、前記長手方向に伸縮する弾性部材を有し、かつ前記肌面シートから立ち上がり可能な起立部を有し、
前記低剛性領域の少なくとも一部は、前記起立部の後端縁よりも前記後側に配置されている、請求項１から請求項７のいずれかに記載の吸収性物品。
【請求項９】
前記低剛性領域は、第１低剛性領域と、前記第１低剛性領域よりも前記後側に位置する第２低剛性領域と、を有し、
前記第１低剛性領域は、前記起立部の後端縁よりも前側に配置され、
前記第２低剛性領域は、前記起立部の後端縁よりも前記後側に配置されている、請求項８に記載の吸収性物品。
【発明の詳細な説明】
【技術分野】
【０００１】  本発明は、生理用ナプキン等の吸収性物品に関する。
【背景技術】
【０００２】  特許文献１には、凹状溝を有する吸収性物品が開示されている。特許文献１の凹状溝は、吸収体に形成されており、後側域において長手方向において断続的に配置されている。特許文献１の吸収性物品は、吸収体が凹状溝間の領域で折れ曲がることにより、後側域が臀部に沿って配置される。
【先行技術文献】
【特許文献】
【０００３】
【特許文献１】特開２００６−２６３２０５号公報
【発明の概要】
【０００４】  特許文献１の凹状溝は、吸収体のみに形成されており、トップシートと一体に形成されていないため、十分な剛性を得ることができないことがある。よって、吸収性物品が凹状溝を基点に繰り返し変形すると、凹状溝の形状が変形し、吸収体が意図した変形状態を維持できないことがある。そのため、吸収体のよれや意図しない折れが発生し、身体に対するフィット性が低下することがある。
【０００５】  本発明は、上述の課題に鑑みてなされたものであり、よれや意図しない折れを抑制し、身体に対するフィット性を高めることができる吸収性物品を提供することを目的とする。
【０００６】  本発明に係る吸収性物品は、互いに直交する長手方向（長手方向Ｌ）及び幅方向（幅方向ｗ）と、着用者の股下に位置する股下域（股下域Ｓ１）と、前記股下域よりも後側に位置する後側域（後側域Ｓ３）と、前記股下域及び前記後側域に配置される吸収コア（吸収コア３１）と、前記吸収コアよりも肌対向面側に配置された肌面シート（肌面シート１０）と、前記吸収コア及び前記肌面シートに形成された中央圧搾溝（中央圧搾溝８１）と、を有する吸収性物品であって、前記後側域の前記幅方向の中央には、前記長手方向に沿って前記中央圧搾溝が配置された複数の高剛性領域（高剛性領域Ｒ１）と、前記長手方向における高剛性領域間に配置され、かつ前記高剛性領域よりも剛性が低い低剛性領域（低剛性領域Ｒ２）と、が設けられていることを要旨とする。
【図面の簡単な説明】
【０００７】
【図１】一実施形態における吸収性物品の平面図である。
【図２】図１に示す吸収性物品の背面図である。
【図３】図１に示すＸ部分の拡大図である。
【図４】図１に示すＡ−Ａ線に沿った断面における吸収性物品の着用状態を模式的に示す図である。
【図５】図１に示すＢ−Ｂ線に沿った断面における吸収性物品の着用状態を模式的に示す図である。図５（ａ）は、吸収性物品を装着した着用者が立った状態を示しており、図５（ｂ）は、仰向けに寝た着用者の身体が寝具によって押圧されて変形した状態を示している。
【図６】立った状態の着用者が着用した状態における吸収性物品の斜視図である。
【発明を実施するための形態】
【０００８】  本明細書及び添付図面の記載により、少なくとも以下の事項が明らかとなる。  互いに直交する長手方向及び幅方向と、  着用者の股下に位置する股下域と、  前記股下域よりも後側に位置する後側域と、  前記股下域及び前記後側域に配置される吸収コアと、  前記吸収コアよりも肌対向面側に配置された肌面シートと、  前記吸収コア及び前記肌面シートに形成された中央圧搾溝と、を有する吸収性物品であって、  前記後側域の前記幅方向の中央には、前記長手方向に沿って前記中央圧搾溝が配置された複数の高剛性領域と、前記長手方向における高剛性領域間に配置され、かつ前記高剛性領域よりも剛性が低い低剛性領域と、が設けられていることを特徴とする、吸収性物品。
【０００９】  吸収コアの幅方向の中央には、中央圧搾溝が長手方向に沿って配置された高剛性領域が設けられている。吸収コアの幅方向の中央は、着用時に幅方向の外側から幅方向の内側への力がかかった際に、幅方向に沿った断面において高剛性領域が変形基点となって着用者に向かって凸状に変形し、左右の臀部間の隙間にフィットする。長手方向における高剛性領域の間には、低剛性領域が設けられている。吸収コアの幅方向の中央は、長手方向に沿った断面において、低剛性領域が変形基点となって身体の前後方向の丸みに沿って配置される。
【００１０】  高剛性領域の中央圧搾溝は、肌面シートと吸収コアに形成されており、吸収コアのみに形成された構成と比較して高い剛性を有する。よって、吸収性物品が着用時に繰り返し変形した場合であっても、高剛性領域が変形基点として機能し続け、吸収コアのよれや意図しない折れを抑制し、身体に対するフィット性を高めることができる。
【００１１】  かかる吸収性物品であって、  前記吸収性物品を下着に固定するための接合部を有しており、  前記低剛性領域は、前記接合部の後端縁よりも前側に位置することが望ましい。
【００１２】  長手方向に沿った断面において、臀部の丸みの曲率は、変化している。臀部の丸みの曲率が大きく変化する箇所は、着用時に変形し易い部分である。臀部の外形に吸収性物品をより沿わせるためには、身体の曲率が大きく変化する箇所に低剛性領域を配置することが好ましい。一方、接合部によって下着への固定状態を維持するためには、臀部の丸みの曲率が大きく変化する箇所よりも後側に接合部を配置することが好ましい。接合部の後端縁よりも前側に低剛性領域が位置するため、臀部の曲率が大きく変化する箇所に対応して低剛性領域を配置するとともに、臀部の丸みの曲率が大きく変化する箇所よりも後側に対応して接合部を配置できる。低剛性領域が変形基点となり、臀部の丸みに沿って吸収性物品を変形させることができる。また、臀部の丸みの曲率が大きく変化する箇所よりも後側に接合部が位置することにより、着用時に接合部が変形し難く、下着への接合状態を維持し易くなる。
【００１３】  かかる吸収性物品であって、  前記吸収コアは、周囲の前記吸収コアよりも吸収材料の目付が低い低目付領域を有し、  前記低目付領域は、前記低剛性領域に配置され、かつ前記低剛性領域から前記幅方向の外側に延びる傾斜部を有し、  前記傾斜部の外側縁は、後側に向かうにつれて前記幅方向の外側から前記幅方向の内側に向かって延びることが望ましい。
【００１４】  このような吸収性物品によれば、低剛性領域が低目付領域に配置されているため、低剛性領域が変形し易く、より吸収性物品の変形基点として機能し易い。また、着用時に股下域が着用時に着用者の両脚によって挟まれることにより、後側域には、幅方向の外側から幅方向の内側に向かい、かつ股下域側から後側域に向かう力がかかる。傾斜部の外側縁が後側に向かうにつれて幅方向の内側に延びるため、股下域側からの力に沿って傾斜部が変形する。よって、傾斜部によって着用者の脚からの力による変形を吸収し、意図しない皺やよれが発生することを抑制し、身体に対するフィット性をより高めることができる。
【００１５】  かかる吸収性物品であって、  前記低目付領域の前記傾斜部には、少なくとも前記吸収コアに形成され、かつ前記幅方向に延びる幅圧搾溝が設けられていることが望ましい。
【００１６】  このような吸収性物品によれば、幅圧搾溝は、傾斜部内において幅方向に延びる変形基点となる。よって、後側域の幅方向の中央のみならず、後側域の幅方向の全体において、身体の前後方向の丸みに沿うように吸収性物品が変形し易くなる。吸収性物品がより臀部に沿って配置され、身体に対するフィット性をより高めることができる。
【００１７】  かかる吸収性物品であって、  前記幅圧搾溝は、前記後側に向かうにつれて前記幅方向の外側から前記幅方向の内側に延びることが望ましい。
【００１８】  後側域には、着用者の両脚によって挟まれることにより、前側から後側に向かって幅方向外側から幅方向の内側に向かう方向の力がかかる。幅圧搾溝は、後側に向かうにつれて幅方向の外側から幅方向の内側に延びており、着用者の両脚からの力に沿って当該力を伝播し易い。幅圧搾溝によって着用者の脚からの力を幅方向の中央側に伝達し、高剛性領域が着用者側に隆起し易くなる。吸収性物品がより臀部に沿って配置され、身体に対するフィット性をより高めることができる。
【００１９】  かかる吸収性物品であって、  前記後側域の前記高剛性領域の両外側には、少なくとも前記吸収コアに形成され、かつ前記長手方向に延びる一対の長手圧搾溝が設けられていることが望ましい。
【００２０】  このような吸収性物品によれば、幅方向の外側から幅方向の内側に向かう方向の力が後側域にかかった際に、一対の長手圧搾溝が変形基点となり、一対の長手圧搾溝間の領域が着用者側に隆起し易くなる。高剛性領域が着用者側に隆起し易くなり、吸収性物品がより臀部に沿って配置され、身体に対するフィット性をより高めることができる。
【００２１】  かかる吸収性物品であって、  前記長手圧搾溝は、前記長手方向において間隔を空けて設けられており、  前記長手圧搾溝の間の領域は、着用時に前記低剛性領域と共に変形の基点を構成する位置に設けられていることが望ましい。
【００２２】  このような吸収性物品によれば、長手圧搾溝が間隔を空けて配置されているため、長手方向に沿った断面において、長手圧搾溝の間の領域が変形基点となって、身体の前後方向の丸みに沿って吸収性物品が配置され易い。また、着用時に長手圧搾溝の間の領域と低剛性領域と共に変形の基点を構成するため、後側域の幅方向の中央を含む幅方向全域が身体の前後方向の丸みに沿って配置され易く、身体に対するフィット性をより高めることができる。
【００２３】  かかる吸収性物品であって、  前記中央圧搾溝の剛性は、前記長手圧搾溝の剛性よりも低いことが望ましい。
【００２４】  このような吸収性物品によれば、幅方向外側から幅方向の内側に向かう方向の力が後側域にかかった際に、中央圧搾溝は、長手圧搾溝よりも変形し易く、より着用者側に隆起し易くなる。また、中央圧搾溝の剛性が低いため、着用時に中央圧搾溝が臀部に密着した場合であっても、着用時の違和感を抑制し、肌触りを向上できる。さらに、長手圧搾溝の剛性が中央圧搾溝の剛性よりも高いため、長手圧搾溝によって幅方向外側から幅方向の内側に向かう方向の力を幅方向における長手圧搾溝間の領域に伝達し易く、中央圧搾溝が着用者側により隆起し易くなる。高剛性領域が着用者側に隆起し易くなり、吸収性物品がより臀部に沿って配置され、身体に対するフィット性をより高めることができる。
【００２５】  かかる吸収性物品であって、  前記低剛性領域は、第１低剛性領域と、前記第１低剛性領域よりも後側に位置する第２低剛性領域と、を有することが望ましい。
【００２６】  第１低剛性領域と第２低剛性領域を有することにより、長手方向に沿った断面において少なくとも２箇所の変形基点が形成され、より臀部の丸みに沿って配置され、高剛性領域が着用者側に隆起し易くなり、身体に対するフィット性をより高めることができる。第１低剛性領域は、着用者が仰向けに寝た状態において、着用者の臀部の膨らみが潰れた部分における前側端部（股下側の端部）に当たるように配置することができる。また、第２低剛性領域は、着用者が立った状態において、着用者の臀部が外側にせり出し、曲率が大きく変化する部分に当たるように配置することができる。このように第１低剛性領域と第２低剛性領域を設けることにより、着用者が仰向けに寝た状態においても着用者が立った状態においても、身体の曲率が大きく変化する部分に吸収性物品の変形基点を設け、吸収コアのよれや意図しない折れを抑制しつつ、身体に対するフィット性をより高めることができる。
【００２７】  かかる吸収性物品であって、  前記吸収性物品の幅方向の両外側において、着用者側に起立可能な一対の立体ギャザーを有し、  各立体ギャザーは、前記長手方向に伸縮する弾性部材を有し、かつ前記トップシートから立ち上がり可能な起立部を有し、  前記低剛性領域の少なくとも一部は、前記起立部の後端縁よりも後側に配置されていることが望ましい。
【００２８】  低剛性領域の少なくとも一部は、前後方向に沿う断面における変形基点となり、臀部の曲率が大きく変化する箇所に当たるように配置できる。吸収性物品は、臀部の曲率が大きく変化する箇所に当たる位置において低剛性領域を基点に変形し、当該低剛性領域の前側の領域と後側の領域と近づくように折れ曲がる。また、着用者が立った状態で立体ギャザーの起立部は、前後方向に沿う断面において起立部の前端縁と起立部の後端縁とを繋ぐように立ち上がる。起立部の立ち上がる領域よりも後側に低剛性領域の少なくとも一部が設けられているため、立体ギャザーの起立部の立ち上がる領域内に、臀部の曲率が大きく変化する部分に対応する変形基点を形成せずに、立体ギャザーの起立状態を維持できる。
【００２９】  かかる吸収性物品であって、  前記低剛性領域は、第１低剛性領域と、前記第１低剛性領域よりも後側に位置する第２低剛性領域と、を有し、  前記第１低剛性領域は、前記起立部の後端縁よりも前側に配置され、  前記第２低剛性領域は、前記起立部の後端縁よりも後側に配置されていることが望ましい。
【００３０】  このような吸収性物品によれば、第１低剛性領域による変形基点と、第２低剛性領域による変形基点と、を設けることができ、身体の前後方向の丸みに沿って吸収性物品が配置され易い。第１低剛性領域は、着用者が仰向けに寝た状態において、着用者の臀部の膨らみが潰れた部分における前側端部に当たるように配置することができる。また、第２低剛性領域は、着用者が立った状態において、着用者の臀部が外側にせり出し、曲率が大きく変化する部分に当たるように配置することができる。
【００３１】  着用者が立った状態で起立部の立ち上がる領域よりも後側に第２低剛性領域が設けられているため、着用者が立った状態において立体ギャザーの起立部の立ち上がる領域内に、第２低剛性領域による変形基点が形成されず、立体ギャザーの起立状態を維持できる。また、着用者が寝た状態では、吸収性物品が着用者と寝具の間に挟まれる。具体的には、仰向けに寝た状態の着用者は、臀部の膨らみが押し潰される。吸収性物品は、臀部の膨らみが潰れた部分の前側端部より後側において着用者と寝具の間に挟まれ、臀部の膨らみが潰れた部分より前側（臀部の膨らみが潰れた部分の前側端部よりも前側）において着用者と寝具の間に挟まれずに身体に沿って配置される。そのため、立体ギャザーの起立部は、前後方向に沿う断面において起立部の前端縁と臀部の膨らみが潰れた部分に当たる位置とを繋ぐように立ち上がる。よって、寝た状態で起立部の立ち上がる領域内に第１低剛性領域による変形基点が形成されず、立体ギャザーの起立状態を維持できる。
【００３２】＝＝＝本実施の形態に係る吸収性物品について＝＝＝  以下、図面を参照して、実施形態に係る吸収性物品ついて説明する。吸収性物品は、パンティーライナー（おりものシート）や生理用ナプキンや失禁パッド、使い捨ておむつ等の任意の吸収性物品であってよい。以下の実施形態では、吸収性物品の一例として使い捨ての生理用ナプキンについて説明する。
【００３３】  なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００３４】  図１は、一実施形態における吸収性物品の平面図である。図２は、吸収性物品の背面図である。図３は、図１に示すＸ部分の拡大図である。なお、図３においては、立体ギャザーを省略している。吸収性物品１は、互いに直交する長手方向Ｌと幅方向Ｗを有し、かつ着用者の肌対向面側Ｔ１から非肌対向面側Ｔ２へ延びる厚み方向Ｔを有する。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。
【００３５】  吸収性物品１は、股下域Ｓ１、前側域Ｓ２及び後側域Ｓ３を有する。股下域Ｓ１は、着用者の排泄口、例えば膣口に対向する領域である。吸収性物品１が下着に装着されたときに、股下域Ｓ１は下着の股下部に配置され、着用者の両足の間に配置される領域である。前側域Ｓ２は、股下域Ｓ１よりも前側に位置する。前側域Ｓ２の前端縁は、吸収性物品１の前端縁を規定する。後側域Ｓ３は、股下域Ｓ１よりも後側に位置する。後側域Ｓ３の後端縁は吸収性物品１の後端縁を規定する。
【００３６】  吸収性物品１は、ウイング３及びヒップフラップ４を有する。ウイング３及びヒップフラップ４は、股下域Ｓ１における吸収体３０の外側縁よりも幅方向Ｗの外側に延出している。ウイング３は、股下域Ｓ１に設けられている。ウイング３の前端縁は、ウイング３の付け根によって規定されており、最も幅方向Ｗの内側に窪んだ２つの部分のうち、前側に位置する部分に相当する。ウイング３の前端縁は、股下域Ｓ１と前側域Ｓ２との境界を規定する。ウイング３の後端縁は、ウイング３の付け根によって規定されており、最も幅方向Ｗの内側に窪んだ２つの部分のうち、後側に位置する部分に相当する。ウイング３の後端縁は、股下域Ｓ１と後側域Ｓ３との境界を規定する。股下域Ｓ１の長手方向Ｌの中心は、ウイングの長手方向の中心と一致する。ヒップフラップ４は、後側域Ｓ３に設けられている。
【００３７】  吸収性物品１は、肌面シート１０、非肌面シート２０及び吸収体３０を有する。肌面シート１０は、吸収体３０よりも肌対向面側Ｔ１に設けられる。肌面シート１０は、トップシート１１及びサイドシート１２を有する。トップシート１１は、体液等の液体を透過する液透過性のシートである。サイドシート１２は、幅方向Ｗにおけるトップシート１１の外側縁を覆い、トップシート１１よりも幅方向Ｗの外側へ延びている。非肌面シート２０は、液不透過性のシートである。非肌面シート２０は、吸収体３０よりも非肌対向面側Ｔ２に設けられる。
【００３８】  非肌面シート２０には、吸収性物品を下着に固定するための接合部６０が設けられている。接合部６０は、股下域Ｓ１において吸収体３０と重なる領域に配置された第１本体接合部６１と、後側域Ｓ３において吸収体３０と重なる領域に配置された第２本体接合部６２と、ウイング３に配置されたウイング接合部６３と、ヒップフラップ４に配置されたフラップ接合部６４と、を有する。
【００３９】  吸収性物品１の幅方向Ｗの両外側には、着用者側に起立可能な一対の立体ギャザー７０が設けられている。各立体ギャザー７０は、長手方向Ｌに伸縮する弾性部材７１を有する。弾性部材７１は、サイドシート１２の内側縁に配置されている。各立体ギャザー７０は、肌面シート１０としてのトップシート１１から立ち上がり可能な起立部７２と、トップシート１１に固定され、起立不能な基端部７３と、を有する。基端部７３は、起立部７２の前側と後側に配置されている。基端部７３は、図１において斜線を付して示した部分である。
【００４０】  吸収体３０は、肌面シート１０と非肌面シート２０との間に設けられる。吸収体３０は、少なくとも股下域Ｓ１と後側域Ｓ３に配置されている。吸収体３０は、液体を吸収する吸収材料からなる吸収コア３１と、吸収コア３１を包むカバーシート（図示せず）と、を有する。吸収体３０は、低目付領域４１と高目付領域４２を有する。ここで、「低目付領域」は、その周囲の吸収コア３１よりも低い目付を有する吸収コア３１からなる領域、又は吸収コア３１を有していない領域を意味する。高目付領域４２は、低目付領域４１以外の領域である。
【００４１】  低目付領域４１は、股下域Ｓ１と後側域Ｓ３の境界を跨ぐ第１低目付領域４１１と、後側域Ｓ３において長手方向Ｌに沿って配置された第２低目付領域４１２と、後側域Ｓ３において幅方向Ｗに延びる第３低目付領域４１３と、を有する。本実施の形態の吸収性物品は、少なくとも第２低目付領域４１２を有していればよい。第２低目付領域４１２は、後側域Ｓ３の幅方向Ｗの中央において長手方向Ｌに延びる。第２低目付領域４１２の前端縁は、第１低目付領域４１１の後端縁に連なっており、第２低目付領域４１２の後端縁は、吸収コア３１の後端縁よりも前側に位置する。
【００４２】  第３低目付領域４１３は、第２低目付領域４１２に連なり、第２低目付領域４１２から幅方向Ｗの外側に延びる。第３低目付領域４１３は、長手方向Ｌに間隔を空けて複数設けられている。第３低目付領域４１３の内側縁は、第２低目付領域４１２に連なっており、第３低目付領域４１３の外側縁は、吸収コア３１の外側縁よりも幅方向の内側に位置する。第３低目付領域４１３は、傾斜部４４を有する。傾斜部４４は、後述する低剛性領域Ｒ２から幅方向Ｗに延びる。傾斜部４４の外側縁４４Ｅは、後側に向かうにつれて幅方向の外側から幅方向の内側に向かって延びる。傾斜部４４の平面視の形状は、例えば、後側に向かって幅方向の長さが短い形状の台形、半円形、三角形である。図１において傾斜部４４に斜線を付して示している。
【００４３】  また、本明細書における「吸収体の目付」の測定は、以下の測定方法によって行われるものとする。吸収性物品１がパッケージなどに封入されている場合には、パッケージから取り出し、その状態にて20℃±2℃、相対湿度60％±5％RHの雰囲気下において12時間放置したサンプルを用いる。
【００４４】  包装体によって包装された吸収性物品においては包装体を開封し、折り畳まれた吸収性物品を展開して、次いで、目付を測定する部分を吸収性物品から切り出し、切り出した部分の重量を測定する。次いで、切り出した部分から肌面シート及び非肌面シート等、吸収体以外の部分を取り除き、吸収体の重量を測定する。吸収体の重量と、目付を測定する部分の面積とに基づいて目付を算出する。
【００４５】  吸収性物品１には、圧搾溝が形成されている。圧搾溝は、中央圧搾溝８１と、幅圧搾溝８２と、長手圧搾溝と８３、を有する。圧搾溝は、少なくとも中央圧搾溝８１を有していればよい。中央圧搾溝８１は、少なくとも肌面シート１０であるトップシート１１と吸収コア３１が厚み方向Ｔに圧縮されることによって形成されている。幅圧搾溝８２及び長手圧搾溝８３は、少なくとも吸収コア３１が厚み方向Ｔに圧縮されることによって形成されている。本実施の形態の中央圧搾溝８１、幅圧搾溝８２及び長手圧搾溝８３は、後側域Ｓ３において、トップシート１１、カバーシート、及び吸収コア３１に形成されている。中央圧搾溝８１、幅圧搾溝８２及び長手圧搾溝８３は、複数の点状の圧搾部の集合体によって構成されている。
【００４６】  中央圧搾溝８１は、長手方向Ｌに延びており、着用時に長手方向Ｌに延びる変形基点を構成する。中央圧搾溝８１の剛性は、長手圧搾溝８３の剛性よりも低い。具体的な中央圧搾溝と長手圧搾溝の構成としては、中央圧搾溝の幅方向の長さが長手圧搾溝の幅方向の長さよりも短い構成、中央圧搾溝を有する領域の目付が長手圧搾溝を有する領域の目付よりも低い構成を例示できる。幅圧搾溝８２は、中央圧搾溝８１よりも幅方向Ｗの両外側において、幅方向Ｗに延びており、着用時に幅方向Ｗに延びる変形基点を構成する。幅圧搾溝８２は、前側から後側に向かうにつれて幅方向Ｗの外側から幅方向Ｗの内側に延びる。中央圧搾溝８１及び幅圧搾溝８２は、低目付領域４１に形成されている。幅圧搾溝８２の少なくとも一部は、低目付領域４１の傾斜部４４内に設けられている。
【００４７】  長手圧搾溝８３は、中央圧搾溝８１及び幅圧搾溝８２よりも幅方向Ｗの両外側において、長手方向Ｌに延びており、着用時に長手方向Ｌに延びる変形基点を構成する。長手圧搾溝８３は、低目付領域４１と高目付領域４２とに跨って形成されている。長手圧搾溝８３は、長手方向において間隔を空けて設けられている。長手圧搾溝８３の間の領域８３Ｇは、着用時に後述する低剛性領域Ｒ２と共に変形の基点を構成する位置に設けられている。低剛性領域Ｒ２と共に変形の基点を構成する位置としては、第２低目付領域４１２と重なる領域、第２低目付領域４１２の延長線上の領域、幅圧搾溝８２の延長線上の領域、低剛性領域Ｒ２から幅方向の外側に延びる領域、低剛性領域Ｒ２から幅方向の外側に向かって斜め前方に延びる領域を例示できる。
【００４８】  吸収性物品１の後側域Ｓ３の幅方向Ｗの中央には、高剛性領域Ｒ１と、低剛性領域Ｒ２と、が設けられている。図３において、高剛性領域Ｒ１と低剛性領域Ｒ２に異なる斜線を付して示している。高剛性領域Ｒ１と低剛性領域Ｒ２は、低目付領域４１に設けられており、吸収性物品１の変形基点として機能する。高剛性領域Ｒ１は、中央圧搾溝８１が配置された領域であり、着用時に着用者側に隆起する変形の基点となる。高剛性領域Ｒ１の長手方向Ｌの長さは、低剛性領域Ｒ２の長手方向Ｌの長さよりも長い。低剛性領域Ｒ２は、中央圧搾溝８１間の領域であり、着用時に身体の前後方向の丸みに沿うように吸収性物品が変形する基点となる。低剛性領域Ｒ２には、中央圧搾溝８１が配置されていない。高剛性領域Ｒ１及び低剛性領域Ｒ２は、第２低目付領域４１２に設けられており、吸収コアの目付が低く変形し易いため、変形基点として機能し易い。
【００４９】  低剛性領域Ｒ２の剛性は、高剛性領域Ｒ１の剛性よりも低い。当該剛性は、変形し難さを指標するものであり、剛性が高いほど、曲がり難い。剛性は、ＪＩＳ  Ｌ  １０９６の測定方法に準拠したガーレー剛性値によって測定することができる。本実施の形態では、長手方向Ｌに間隔を空けて３つの高剛性領域Ｒ１が設けられている。低剛性領域Ｒ２は、第１低剛性領域Ｒ２１と、第１低剛性領域Ｒ２１よりも後側に位置する第２低剛性領域Ｒ２２と、を有する。そのため、吸収性物品１の長手方向Ｌに沿った断面において少なくとも２箇所の変形基点が形成され、臀部の丸みに沿って吸収性物品が配置され易い。
【００５０】  着用者の長手方向に沿った断面における形状は、同じ曲率ではなく、特に臀部における曲率は、着用者の体位及び部分によって大きく異なる。具体的には、図５に示すように、着用者が立った状態では、臀部が最も外側にせり出した部分Ｐ２において臀部の曲率が大きく変化し、着用者が仰向けに寝た状態では、臀部が寝具に当たって潰れた部分の前側端部Ｐ１において臀部の曲率が大きく変化する。吸収性物品の後側域をより身体にフィットさせるためには、着用者が仰向けに寝た状態で臀部の曲率が大きく変化する部分（臀部が寝具に当たって潰れた部分の前側端部）Ｐ１と、着用者が立った寝た状態で臀部の曲率が大きく変化する部分（臀部が最も外側にせり出した部分）Ｐ２と、に対応する位置に第１低剛性領域Ｒ２１と第２低剛性領域Ｒ２２を設けてよい。
【００５１】  第１低剛性領域Ｒ２１は、股下域Ｓ１の長手方向Ｌの中心から後方に９０ｍｍ〜１３０ｍｍの位置に配置することができる。股下域Ｓ１の長手方向Ｌの中心から後方に９０ｍｍ〜１３０ｍｍの位置は、着用者が仰向けに寝た状態において臀部の曲率が大きく変化する部分Ｐ１に対応して配置され易い。着用者が仰向けに寝た状態において臀部の曲率が大きく変化する部分に対応するように第１低剛性領域Ｒ２１を設けることにより、着用者が仰向けに寝た状態において吸収性物品が身体に沿い易くなり、吸収性物品と身体の隙間を少なくできる。
【００５２】  第２低剛性領域Ｒ２２は、股下域Ｓ１の長手方向Ｌの中心から後方に１３０ｍｍ〜１７０ｍｍの位置に配置することができる。股下域Ｓ１の長手方向Ｌの中心から後方に１３０ｍｍ〜１７０ｍｍの位置は、着用者が立った状態において臀部の曲率が大きく変化する部分Ｐ２に対応して配置され易い。着用者が立った状態において臀部の曲率が大きく変化する部分Ｐ２に対応するように第２低剛性領域Ｒ２２を設けることにより、着用者が立った状態において臀部が最も外側にせり出した部分Ｐ２において吸収性物品が身体に沿い易くなり、吸収性物品と身体の隙間を少なくできる。
【００５３】  第１低剛性領域Ｒ２１は、立体ギャザー７０の起立部７２の後端縁よりも前側に配置されている。第１低剛性領域Ｒ２１は、着用者が仰向けに寝た状態において臀部の膨らみが潰れた前側部分Ｐ１に当たる位置に設けられている。吸収性物品は、臀部の膨らみが潰れた前側部分Ｐ１より後側において着用者と寝具の間に挟まれ、臀部の膨らみが潰れた部分より前側において着用者と寝具の間に挟まれずに身体に沿って配置される。そのため、立体ギャザーの起立部７２は、前後方向に沿う断面において起立部の前端縁と臀部の膨らみが潰れた部分に当たる位置とを繋ぐように立ち上がる。よって、第１低剛性領域Ｒ２１が立体ギャザー７０の起立部７２の後端縁よりも前側に配置されていても、寝た状態で起立部の立ち上がる領域内に第１低剛性領域Ｒ２１による変形基点が形成されず、立体ギャザー７０の起立状態を維持できる。
【００５４】  第２低剛性領域Ｒ２２は、立体ギャザー７０の起立部７２の後端縁よりも後側に配置されている。着用者が立った状態で起立部の立ち上がる領域よりも後側に第２低剛性領域Ｒ２２が設けられているため、立体ギャザー７０の起立部７２の立ち上がる領域内に、第２低剛性領域Ｒ２２による変形基点が形成されず、立体ギャザーの起立状態を維持できる。
【００５５】  低剛性領域Ｒ２は、接合部６０の後端縁よりも前側に位置する。接合部の後端縁は、接合部全体における後端縁であり、本実施の形態においては第２本体接合部６２の後端縁である。第１低剛性領域Ｒ２１は、フラップ接合部６４の後端縁より前側、かつ第２本体接合部６２の後端縁よりも前側に位置する。第２低剛性領域Ｒ２２は、第２本体接合部６２の後端縁よりも前側に位置する。接合部６０は、下着への固定状態を維持するために、臀部の丸みの曲率が大きく変化する箇所よりも後側に接合部を配置することが好ましい。接合部が臀部の丸みの曲率が大きく変化する箇所よりも後側に位置することにより、着用時に接合部が変形し難く、下着への接合状態を維持し易くなる。臀部の曲率が大きく変化する箇所に対応して低剛性領域Ｒ２を配置することで、臀部の丸みに沿って配置するとともに、臀部の曲率が大きく変化する箇所よりも後側に接合部を設けることで、接合部による下着への接合状態を維持できる。よって、身体に対するフィット性を高めることができる。
【００５６】  次いで、図４から図６に基づいて、吸収性物品の着用状態について説明する。図４は、幅方向に沿った断面における吸収性物品の変形状態を模式的に示している。このように構成された吸収性物品の着用時に変形状態について説明する。吸収性物品は、着用時に着用者の両脚によって挟まれ、幅方向の外側から幅方向の内側への力がかかる。着用時に幅方向Ｗの外側から幅方向の内側に向かう力が吸収性物品１に掛かった際に、長手圧搾溝８３を基点として中央圧搾溝８１間の領域が着用者側に隆起し、中央圧搾溝８１が頂点となるように変形する。吸収コアの幅方向の中央は、高剛性領域が変形基点となって着用者に向かって凸状に変形し、左右の臀部間の隙間にフィットする。このとき、中央圧搾溝の剛性が長手圧搾溝の剛性よりも低いため、幅方向外側から幅方向の内側に向かう方向の力が後側域にかかった際に、中央圧搾溝が長手圧搾溝よりも変形し易く、より着用者側に隆起し易くなる。また、中央圧搾溝の剛性が低いため、着用時に中央圧搾溝が臀部に密着した場合であっても、着用時の違和感を抑制し、肌触りを向上できる。
【００５７】  また、図５は、長手方向に沿った断面における吸収性物品の変形状態を模式的に示している。図５（ａ）は、吸収性物品を装着した着用者が立った状態を示しており、図５（ｂ）は、仰向けに寝た着用者の身体が寝具によって押圧されて変形した状態を示している。第２低剛性領域Ｒ２２は、着用者が立った状態において着用者の曲率が大きく変化する部分Ｐ２に当たるように配置される。着用者が立った状態における吸収コアの幅方向の中央は、長手方向に沿った断面において、第２低剛性領域Ｒ２２が変形基点となって身体の前後方向の丸みに沿って配置される。第１低剛性領域Ｒ２１は、着用者が仰向けに寝た状態において、臀部の膨らみが潰れた部分の前側端部の、曲率が大きく変化する部分Ｐ１に当たるように配置される。高剛性領域Ｒ１に形成された中央圧搾溝８１は、トップシート１１と吸収コア３１に形成されており、吸収コア３１のみに形成された構成と比較して高い剛性を有する。よって、吸収性物品１が着用時に繰り返し変形した場合であっても、高剛性領域Ｒ１が変形基点として機能し続け、吸収コア３１のよれや意図しない折れを抑制し、身体に対するフィット性を高めることができる。
【００５８】  また、後側域には、中央圧搾溝８１、幅圧搾溝８２及び長手圧搾溝８３が形成されており、圧搾溝によって複数の区画に分断されている。そのため、吸収性物品１が着用時に繰り返し変形した場合であっても、高剛性領域Ｒ１が変形基点として機能し続け、吸収コア３１のよれや意図しない折れを抑制し、身体に対するフィット性を高めることができる。また、後側域には、中央圧搾溝８１、幅圧搾溝８２及び長手圧搾溝８３が形成されており、圧搾溝によって複数の区画に分断されている。そのため、吸収性物品１が着用時に繰り返し変形した場合であっても、吸収材料が偏り難く、吸収コアを身体に対して当て続けることができる。
【００５９】  また、低剛性領域Ｒ２の幅方向の外側には、低剛性領域から幅方向の外側に延びる傾斜部４４と、傾斜部内に形成された幅圧搾溝８２と、が設けられている。傾斜部及び幅圧搾溝８２は、幅方向に延びる変形基点としてそれぞれ機能する。よって、後側域の幅方向の中央のみならず、後側域の幅方向の全体において身体の前後方向に沿った断面に沿うように吸収コアが配置される。吸収性物品がより臀部に沿って配置され、フィット性を向上できる。
【００６０】  また、長手圧搾溝８３が間隔を空けて配置されているため、長手方向に沿った断面において、長手圧搾溝８３の間の領域８３Ｇが変形基点となって身体の丸みに沿って配置される。長手圧搾溝の間の領域と低剛性領域Ｒ２とは、共に変形の基点を構成するため、後側域の幅方向の中央を含む幅方向全域が身体の前後方向の丸みに沿って配置される。よって、吸収性物品の後側域全体が身体に対してフィットし易くなる。
【００６１】  図６は、立った状態の着用者に着用された状態の吸収性物品を模式的に示した斜視図である。着用時に、股下域が着用時に着用者の両脚によって挟まれ、後側域には、幅方向の外側から幅方向の内側に向かい、かつ股下域側から後側域に向かう力がかかる。傾斜部の外側縁が後側に向かうにつれて幅方向の内側に延びるため、股下域側からの力に沿って傾斜部が変形し、傾斜部内に後側に向かうにつれて幅方向の内側に延びる皺が形成される。傾斜部によって着用者の脚からの力による変形を吸収し、意図しない皺やよれが発生することを抑制し、より身体に沿って吸収性物品を配置できる。また、幅圧搾溝８２は、後側に向かうにつれて幅方向の外側から幅方向の内側に延びるため、着用者の両脚からの力に沿って当該力を伝播し易い。幅圧搾溝８２によって着用者の脚からの力を幅方向の中央側に伝達し、高剛性領域が着用者側に隆起し易くなる。吸収性物品がより臀部に沿って配置され、フィット性を向上できる。
【００６２】  以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【００６３】  本発明における低剛性領域は、高剛性領域よりも剛性が低い構成されていればよく、例えば、高剛性領域よりも吸収材料の目付が低い構成、高剛性領域よりも圧搾溝の面積率が低い構成、吸収コアに切れ込みが形成された構成のうち少なくともいずれかを含む構成であってよい。
【産業上の利用可能性】
【００６４】  よれや意図しない折れを抑制し、身体に対するフィット性を高めることができる吸収性物品を提供できる。
【符号の説明】
【００６５】１          ：吸収性物品１０        ：肌面シート２０        ：非肌面シート３０        ：吸収体３１        ：吸収コア４１        ：低目付領域８１        ：中央圧搾溝８２        ：幅圧搾溝８３        ：長手圧搾溝Ｒ１        ：高剛性領域Ｒ２        ：低剛性領域Ｒ２１      ：第１低剛性領域Ｒ２２      ：第２低剛性領域Ｌ          ：長手方向Ｗ          ：幅方向
【図１】
0006705839.tif 000002
【図２】
0006705839.tif 000003
【図３】
0006705839.tif 000004
【図４】
0006705839.tif 000005
【図５】
0006705839.tif 000006
【図６】
0006705839.tif 000007